(57)【要約】ボディを取替できるギターが開示される。本発明に係るボディを取替できるギターボディと、前記ボディの一側に分離可能に結合されるネックヒールが突出形成され、音階及び和音によるコードを弾けるように複数のストリングが配置されるネックと、前記複数のストリングの一端が固定されるように前記ボディに分離可能に結合されるブリッジと、前記複数のストリングの他端が固定されるように前記ネックに延在されるヘッドからなる演奏部及び前記ヘッド上に結合されて前記複数のストリング張力が増加したりまたは減少するように調節する調節部と、を有する。【選択図】図１
2019523455.tif 000002
【特許請求の範囲】
【請求項１】
ボディ一の一側に分離可能に結合されるネックヒールが突出形成され、音階及び和音によるコードを弾けるように複数のストリングが配置されるネックと、前記複数のストリングの一端が固定されるように前記ボディに分離可能に結合されるブリッジと、前記複数のストリングの他端が固定されるように前記ネックに延在されるヘッドからなる演奏部と、
前記複数のストリング張力が増加したりまたは減少するように調節する調節部と、
ボディと、を含むことを特徴とする、
ボディを取替できるギター。
【請求項２】
前記ボディは、前記ネックヒールと前記ブリッジとが対応される位置に電磁石がそれぞれ内蔵され、前記ネックヒールと前記ブリッジとは、前記電磁石の電源供給の有無によって前記電磁石に分離可能に結合されるようにそれぞれ磁性体が内蔵されることを特徴とする請求項１に記載のボディを取替できるギター。
【請求項３】
前記調節部は、一端部にハンドルが形成され、前記ヘッドにおいて前記複数のストリングが配置された反対側に他端部が引入されるようにネジ結合され、回転によって一側または、他側に移動する第１の移動部材と、前記第１の移動部材の他端部に一端部がアイドリング可能に結合され、前記第１の移動部材の移動によって他端部が前記ヘッドにおいて前記複数のストリングが配置された側に引入及び引き出しされるように移動される第２の移動部材と、長さ方向が前記複数のストリング交差するように前記第２の移動部材の他端部に結合されて前記第２の移動部材の移動によって前記複数のストリング張力が一括的に調節されるようにする支持部材と、を含むことを特徴とする請求項１に記載のボディを取替できるギター。
【請求項４】
前記ヘッド上において、前記複数のストリングを包むように結合され、前記調節部によって前記複数のストリング張力が増加したりまたは減少する場合、前記複数のストリング間隔が維持されるように前記調節部を中心に相互離隔される一対のガイド部を更に含むことを特徴とする請求項１に記載のボディを取替できるギター。
【請求項５】
無音バーの一側に分離可能に結合されるネックヒールが突出形成され、音階及び和音によるコードを弾けるように複数のストリングが配置されるネックと、前記複数のストリング一端が固定されるように前記無音バーに分離可能に結合されるブリッジと、前記複数のストリングの他端が固定されるように前記ネックに延在されるヘッドからなる演奏部と、
前記ヘッド上に結合されて前記複数のストリング張力が増加したりまたは減少するように調節する調節部と、
無音バーと、を含むことを特徴とする、
ボディを取替できるギター。
【請求項６】
前記無音バーは、一端部が前記ネックヒールに結合され、他端部にガイドバーが突出されたネックヒール固定部材と、前記ブリッジに結合されるブリッジ固定部材及び、前記ネックヒール固定部材と前記ブリッジ固定部材との間に介在し、一端部が前記ガイドバー上においてスライディング移動するように結合され、他端部が前記ブリッジ固定部材にヒンジ結合される作動部材と、を含むことを特徴とする請求項５に記載のボディを取替できるギター。
【請求項７】
前記ネックヒール固定部材とブリッジ固定部材とは、前記ネックヒールと前記ブリッジとが対応される位置に電磁石がそれぞれ内蔵され、前記ネックヒールと前記ブリッジとは、前記電磁石の電源供給の有無によって前記電磁石に分離可能に結合されるようにそれぞれ磁性体が内蔵されることを特徴とする請求項５に記載のボディを取替できるギター。
【請求項８】
前記調節部は、一端部にハンドルが形成され、前記ヘッドにおいて前記複数のストリングが配置された反対側に他端部が引入されるようにネジ結合され、回転によって一側または他側に移動する第１の移動部材と、前記第１の移動部材の他端部に一端部がアイドリング可能に結合され、前記第１の移動部材の移動によって他端部が前記ヘッドにおいて前記複数のストリングが配置された側に引入及び引き出しされるように移動される第２の移動部材と、長さ方向が前記複数のストリング交差するように前記第２の移動部材の他端部に結合されて前記第２の移動部材の移動によって前記複数のストリング張力が一括的に調節されるようにする支持部材と、を含むことを特徴とする請求項５に記載のボディを取替できるギター。
【請求項９】
前記ヘッド上において、前記複数のストリングを包むように結合され、前記調節部により前記複数のストリング張力が増加したりまたは減少する場合、前記複数のストリング間隔が維持されるように前記調節部を中心に相互離隔される一対のガイド部を更に含むことを特徴とする請求項５に記載のボディを取替できるギター。
【発明の詳細な説明】
【技術分野】
【０００１】
本発明は、ボディを取替できるギターに関するものであって、更に詳細には調節部を介して複数のストリング張力を調節してボディからネックとブリッジとが分離及び結合される構造を有することによって、既存の多様なボディに適用し得るボディを取替できるギターに関するものである。
【背景技術】
【０００２】
一般的にギターは響きによる共鳴音を発生させるボディと、音階及び和音によるコードを弾けるように複数の弦が配置されるネックと、音の高低を調節することができるように弦を結束するヘッド及び弦を固定するブリッジとで構成される。
【０００３】
音響に最も大きい影響を及ぼすボディは、弦から発生する音が内部において響きにより増幅されて外部に伝えられるために前、後面ボードと側面ボードを硬質の柾目の木材を使って大体ヒョウタン状に加工した後、前面ボードの枠内面には側面ボードの前端面を取付し、後面ボードの枠内面には側面ボードの後端面を取付してボディの内部を前面ボードに形成されるサウンドホールを除いて全部封止するように製作される。
【０００４】
このようなボディは、ほとんどのネックとブリッジが一体で連結されるので演奏者は演奏の目的に応じてそれに合うギターを選択して演奏しているが、演奏の目的に合うギターを演奏するためには色々なタイプのギターを個別的に購入する必要があり、これは経済的な費用の負担を加重させる問題点がある。
【発明の概要】
【発明が解決しようとする課題】
【０００５】
本発明の目的は、調節部を介して複数のストリング張力を調節してボディからネックとブリッジとが分離及び結合される構造を有することによって、既存の多様なボディに適用することができるボディを取替できるギターを提供することにある。
【０００６】
本発明の他の目的は、ボディを体積が小さくて音響が小さく出てくる無音バーに取替て練習用又は旅行用に適合したボディを取替できるギターを提供することにある。
【課題を解決するための手段】
【０００７】
本発明の一実施形態に係るボディを取替できるギターは、以下である。
【０００８】
ボディと、前記ボディの一側に分離可能に結合されるネックヒールが突出形成され、音階及び和音によるコードを弾けるように複数のストリングが配置されるネックと、前記複数のストリングの一端が固定されるように前記ボディに分離可能に結合されるブリッジと、前記複数のストリングの他端が固定されるように前記ネックに延在されるヘッドからなる演奏部及び前記複数のストリング張力が増加したり、または減少するように調節する調節部と、を含むことができる。
【０００９】
この時、前記ボディは前記ネックヒールと前記ブリッジとが対応される位置に電磁石がそれぞれ内蔵され、前記ネックヒールと前記ブリッジとは前記電磁石の電源供給の有無によって前記電磁石に分離可能に結合されるようにそれぞれ磁性体を内蔵し得る。
【００１０】
本発明の他の実施形態に係るボディを取替できるギターは、無音バーと前記無音バーの一側に分離可能に結合されるネックヒールが突出形成され、音階及び和音によるコードを弾けるように複数のストリングが配置されるネックと、前記複数のストリングの一端が固定されるように前記無音バーに分離可能に結合されるブリッジと、前記複数のストリングの他端が固定されるように前記ネックに延在されるヘッドからなる演奏部及び前記ヘッド上に結合されて前記複数のストリング張力が増加したりまたは減少するように調節する調節部と、を含み、前記無音バーは一端部が前記ネックヒールに結合され、他端部にガイドバーが突出したネックヒール固定部材と、前記ブリッジに結合されるブリッジ固定部材及び前記ネックヒール固定部材と前記ブリッジ固定部材との間に介在し、一端部が前記ガイドバー上でスライディング移動するように結合され、他端部が前記ブリッジ固定部材にヒンジ結合される作動部材と、を含む。
【００１１】
この時、前記ネックヒール固定部材とブリッジ固定部材とは、前記ネックヒールと前記ブリッジとが対応される位置に電磁石がそれぞれ内蔵され、前記ネックヒールと前記ブリッジとは前記電磁石の電源供給の有無によって前記電磁石に分離可能に結合されるようにそれぞれ磁性体を内蔵し得る。
【００１２】
また、前記調節部は、一端部にハンドルが形成され、前記ヘッドにおいて前記複数のストリングが配置された反対側に他端部が引入されるようにネジ結合され、回転によって一側または他側に移動する第１の移動部材と、前記第１の移動部材の他端部に一端部がアイドリング可能に結合され、前記第１の移動部材の移動によって他端部が前記ヘッドにおいて前記複数のストリングが配置された側に引入及び引き出しされるように移動する第２の移動部材と、長さ方向が前記複数のストリング交差されるように前記第２の移動部材の他端部に結合されて前記第２の移動部材の移動によって前記複数のストリング張力が一括的に調節されるようにする支持部材と、を含むことができる。
【００１３】
また、前記ヘッド上において、前記複数のストリングを包むように結合され、前記調節部によって前記複数のストリング張力が増加したりまたは減少する場合、前記複数のストリング間隔が維持されるように前記調節部を中心に相互離隔される一対のガイド部を更に含むことができる。
【発明の効果】
【００１４】
本発明によると、調節部により複数のストリング張力が調節されて演奏部がボディから分離及び結合される構造を有することによってボディのみ取替すれば色々なタイプのギターで演奏ができるため、色々なタイプのギターを個別的に購入する必要がないので、経済的な費用の負担を減らす効果がある。
【００１５】
また、ボディの体積が小さくて音響が小さく発生する無音バーに取替できる構造を有することによって、練習用または旅行用に使用するのに適合した効果がある。
【図面の簡単な説明】
【００１６】
【図１】本発明の第１の実施形態に係るボディを取替できるギターの概略的な斜視図である。
【図２】図１に示されたボディを取替できるギターの分解斜視図である。
【図３】図１に示されたボディを取替できるギターの調節部作動を示した断面図である。
【図４】本発明の第２の実施形態に係るボディを取替できるギターの概略的な斜視図である。
【図５】図４に示されたボディを取替できるギターの作動を示した斜視図である。
【発明を実施するための形態】
【００１７】
以下にて本発明の好ましい実施形態を添付図を参照して詳細に説明するが、これは本発明の属する技術分野における通常の知識を有する者が、本発明を容易に実施できるほど詳細に説明するためのものであって、これによって本発明の技術的思想及び範疇が限定されることを意味してはいない。
【００１８】
図面において、本発明を明確に説明するために説明と関係ない部分は省略し、明細書の全体を通じて類似する部分に対しては類似する図面符号を付けた。
【００１９】
また、ある部分がある構成要素を「含む」とする時、これは特に反対される記載がない限り他の構成要素を除外するのではなく、他の構成要素を更に含むことができることを意味する。
【実施例１】
【００２０】
図１においては、本発明の第１の実施形態に係るボディを取替できるギターの概略的な斜視図が示され、図２においては、図１に示されたボディを取替できるギターの分解斜視図が示され、図３においては、図１に示されたボディを取替できるギターの調節部作動を示した断面図が示される。
【００２１】
本発明の第１の実施形態に係るボディを取替できるギターは、図１乃至図３に示された通りボディ１００と、演奏部２００及び調節部３００と、を含む。
【００２２】
ここで、前記ボディ１００は、前記調節部３００を介して前記演奏部２００に分離可能に結合されるものであって、演奏の際音響を増幅させるためのサウンドホール１１０が形成される。
【００２３】
この時、演奏によって特定の音響を発生させることができるように色々なギターのボディの中から何れかを選択することができる。
【００２４】
例えば、一般的なアコースティックギターやエレクトリックギターのボディを選択して使用できることはもちろんで、その他、リュート（ｌｕｔｅ）、ウクレレ（ｕｋｕｌｅｌｅ）等、ギター族（ｇｕｉｔａｒ  ｆａｍｉｌｙ、─族）に属する色々な楽器の中で何れかのボディを選択して使用することができる。
【００２５】
例えば、演奏者がギターで演奏しようと思う時には、前記調節部３００を用いてギターのボディ１００に演奏部２００を結合させてギターとして使用し、エレクトリックギターで演奏しようと思う時には、前記調節部３００を用いてエレクトリックギターのボディ１００に演奏部２００を結合させてエレクトリックギターとして使用する。
【００２６】
そして、前記演奏部２００は、前記調節部３００によって前記ボディ１００に分離可能に結合される役割をする。
【００２７】
詳しくは、前記演奏部２００はボディ１００の一側に結合されるためのネックヒール２１１が形成され、音階及び和音によるコードを弾けるように複数のストリング２１２が配置されるネック２１０と、前記複数のストリング２１２の一端部が固定されるように前記ボディ１００に分離可能に結合されるブリッジ２２０及び前記複数のストリング２１２の他端部が固定されるようにネック２１０に延在されるヘッド２３０と、からなる。
【００２８】
一方、図２に示された通り前記ボディ１００は、前記ネックヒール２１１と前記ブリッジ２２０とが対応される位置に電磁石１２０がそれぞれ内蔵され、前記ネックヒール２１１と前記ブリッジ２２０とは、前記電磁石１２０の電源供給の有無によって前記電磁石１２０に分離可能に結合されるようにそれぞれ磁性体２４０を内蔵し得る。
【００２９】
前記電磁石１２０としては、電流で磁力を操作できる永電磁石を用いることができる。
【００３０】
即ち、前記電磁石１２０に電流が供給されると、性質上永電磁石の磁力を失うため、前記ネックヒール２１１と前記ブリッジ２２０とは電磁力によって前記ボディ１００から分離した状態となる。
【００３１】
反対に、前記電磁石１２０への電流を遮断すると、前記電磁石１２０の磁力によって前記ネックヒール２１１と前記ブリッジ２２０とは前記ボディ１００に結合された状態で維持される。
【００３２】
これに伴い、特に苦心する必要なく前記ボディ１００と前記演奏部２００とを簡単かつ迅速に分離及び結合させることができるのはもちろん、多様なボディ１００に適用できるので、色々なタイプのギターで演奏できる長所がある。
【００３３】
この時、望ましくは前記電磁石１２０に加えて別の補助締結手段（未図示）を更に備えることができる。
【００３４】
前記ネックヒール２１１、前記ブリッジ２２０と、前記ボディ１００との結合を全て電磁石１２０の磁力にのみ依存する場合、ややもすると電磁石１２０の体積と重さが過度に増加したり又は使用途中分離する事故が発生し得るので、前記ネックヒール２１１及び前記ブリッジ２２０が前記ボディ１００に結合された状態で補助締結手段により安全に固定する。このような補助締結手段は安全ピンやボルトのような公知の部材であり得る。
【００３５】
一方、図１の（ｂ）に示された通り、ネックヒール２１１及び前記ブリッジ２２０が前記ボディ１００に結合された状態で、ネック２１０のヘッド２３０の反対側の終端部は前記ボディ１００の表面から所定距離離隔される。
【００３６】
隔離距離が維持されない場合、ややもすると演奏途中ネック２１０とボディ１００表面の振れによって雑音が発生し得るからである。
【００３７】
さらに、ネック２１０がボディ１００表面から所定距離離隔することによって、ボディ１００の前ボードの響きが更に多くなり、これによって、共鳴感がさらに良くなる付帯効果が得られる。
【００３８】
一方、前記ボディ１００においては、電磁石１２０の電流供給の有無を決めるスイッチ１３０が設けられ、たとえば図示されてはいないが前記電磁石１２０に電流を供給するためにバッテリーが内蔵されるはもちろん、別途の電源ケーブルを連結することができる。
【００３９】
ここで、スイッチ１３０の位置は特に限っておらず、ボディ１００の外側に設けられることはもちろん、サウンドホール１１０に隣接したボディ１００の内部に設けることができる。
【００４０】
この時、スイッチ１３０がボディ１００の内部に設けられると、演奏中にスイッチ１３０を押圧する恐れがないので、演奏家の不注意によるボディ１００の分離が行わない利点がある。
【００４１】
一方、前記調節部３００は、前記演奏部２００が前記ボディ１００から分離可能に結合されるように前記複数のストリング２１２張力を調節する役割をするものであって、図３に示された通り第１の移動部材３１０、第２の移動部材３２０、支持部材３３０と、を含む。
【００４２】
即ち、前記ボディ１００に結合された前記演奏部２００を分離させようとする場合には、前記調節部３００を介して前記複数のストリング２１２張力が減少されるようにし、前記ボディ１００に前記演奏部２００を結合させた状態においては、演奏ができるように前記調節部３００を介して前記複数のストリング２１２張力が増加されるようにする。
【００４３】
具体的に、前記第１の移動部材３１０は、一端部に回転のためのハンドル３１１が形成され、前記ヘッド２３０において前記複数のストリング２１２が配置された反対側に他端部が引入されるようにネジ結合されて回転によって移動される。
【００４４】
前記第２の移動部材３２０は、前記第１の移動部材３１０の移動によって前記ヘッド２３０において前記複数のストリング２１２が配置された側に引入及び引き出しされるように移動する。
【００４５】
この時、前記第１の移動部材３１０の回転に応じて前記第２の移動部材３２０が共に回転するように結合されると、前記ヘッド２３０に引入及び引き出しされる過程において、前記支持部材３３０が前記複数のストリング２１２に接触した状態で行わるので、前記第１の移動部材３１０の回転が難しいだけでなく、前記複数のストリング２１２が損傷される短所がある。
【００４６】
このために、前記第２の移動部材３２０は、前記第１の移動部材３１０の回転に影響を受けず、前記複数のストリング２１２に接触した状態で円滑に移動するように一端部が前記第１の移動部材３１０の他端部にアイドリング可能に結合される方が好ましい。
【００４７】
前記支持部材３３０は、長さ方向が前記複数のストリング２１２に交差されるように前記第２の移動部材３２０の他端部に結合されて前記第２の移動部材３２０の移動によって前記複数のストリング２１２張力が一括的に調節されるようにする。
【００４８】
一方、前記調節部３００により前記複数のストリング２１２の張力が増加する過程において、前記複数のストリング２１２の移動を制限しない場合、前記複数のストリング２１２が前記支持部材３３０上から離脱した状態で位置され得る。
【００４９】
このために、前記ヘッド２３０上において、前記調節部３００を中心に相互離隔して前記複数のストリング２１２を包むように結合される一対のガイド部４００を更に含むことができる。
【００５０】
即ち、前記一対のガイド部４００が前記複数のストリング２１２移動を制限するため、前記調節部３００により前記複数のストリング２１２張力が増加すれば、前記複数のストリング２１２が前記支持部材３３０上から離脱せずに一定の間隔で維持される利点ができる。
【実施例２】
【００５１】
一方、図４においては、本発明の第２実施形態に係るボディを取替できるギターの概略的な斜視図が示されており、図５においては、図４に示されたボディを取替できるギターの作動を示した斜視図が示される。
【００５２】
本発明の第２実施形態に係るボディを取替できるギターは、図４乃至図５に示された通り無音バー４００、演奏部２００及び調節部３００と、を含む。
【００５３】
このような本発明の第２実施形態に係るボディを取替できるギターは、前記ボディ１００が前記無音バー４００に代替される点のみ異なるだけであり、それぞれの構成部材の構成及び全体作用は本発明の第１の実施形態に係るボディを取替できるギターと同一または類似するため、上述から十分に類推できるので、明細書の簡略化のために無音バー４００にのみ関して説明することにする。
【００５４】
ここで、前記無音バー４００は、ネックヒール固定部材４１０と、ブリッジ固定部材４２０と、作動部材４３０と、からなる。
【００５５】
詳しくは、前記ネックヒール固定部材４１０は、ネック２１０のネックヒール２１１と結合されるものであって、前記ネック２１０と同一幅を有する六面体形状で一端部が前記ネックヒール２１１に結合され、他端部にガイドバー４１１が突出する。
【００５６】
そして、前記ブリッジ固定部材４２０はブリッジ２２０と結合されるものであって、ネック２１０と同一幅を有する六面体形状からなる。
【００５７】
この時、たとえ図示されてはいないが、ブリッジ固定部材４２０の一側面には演奏の際アンプを連結して使用できるように別途のアンプ端子を備えることができる。
【００５８】
また、作動部材４３０は、ネック２１０と同一幅を有する六面体形状でネックヒール固定部材４１０とブリッジ固定部材４２０との間に介在し、一端部が前記ガイドバー４１１上においてスライディング移動可能に結合され、他端部がブリッジ固定部材４２０にヒンジ結合される。
【００５９】
即ち、前記ブリッジ固定部材４２０が広げられた状態において、作動部材４３０をブリッジ固定部材４２０側にスライディング移動すれば演奏ができる状態になり、前記作動部材４３０をネックヒール固定部材４１０側に移動させた後に前記複数のストリング２１２の張力を緩くした状態で前記ブリッジ固定部材４２０を回動させると、ブリッジ固定部材４２０が折られる状態となる。
【００６０】
よって、無音バー４００は体積及び重さが減少し、演奏の際音響発生が減って旅行用及び練習用として利用するのに非常に適合した長所がある。
【００６１】
この時、前記ネックヒール固定部材４１０とブリッジ固定部材４２０とは、前記ネックヒール２１１と前記ブリッジ２２０とが対応される位置に電磁石４４０がそれぞれ内蔵され、前記ネックヒール２１１と前記ブリッジ２２０とは、前記電磁石４４０の電源供給の有無によって、前記電磁石４４０に分離可能に結合されるようにそれぞれ磁性体２４０を内蔵し得る。
【００６２】
それだけでなく、前記無音バー４００は、前記ボディ１００と同様に前記電磁石４４０の電流供給の有無を決めるスイッチ４５０が備えられ、たとえ図示されてはいないが前記電磁石４４０に電流を供給するためにバッテリーが内蔵されるはもちろん、別途の電源ケーブルを連結し得る。
【００６３】
よって、特に苦心する必要なく前記無音バー４００と前記演奏部２００と、を簡単かつ迅速に分離及び結合できることはもちろん、既存の多様なボディ１００に適用することができるので、色々なタイプのギターで演奏ができる長所がある。
【００６４】
一方、前記においては、調節部３００がヘッド２３０に備えられたことを前提にして説明したが、調節部３００の位置は必ずヘッド２３０上に限らず、ストリング２１２の経路上であれば、他の位置に備えられても関係ない。
【符号の説明】
【００６５】
１００  ボディ
１１０  サウンドホール
１２０、４４０  電磁石
１３０、４５０  スイッチ
２００  演奏部
２１０  ネック
２１１  ネックヒール
２１２  ストリング
２２０  ブリッジ
２３０  ヘッド
２４０  磁性体
３００  調節部
３１０  第１の移動部材
３１１  ハンドル
３２０  第２の移動部材
３３０  支持部材
４００  無音バー
４１０  ネック固定部材
４１１  ガイドバー
４２０  ブリッジ固定部材
４３０  作動部材
【図１】
2019523455.tif 000003
【図２】
2019523455.tif 000004
【図３】
2019523455.tif 000005
【図４】
2019523455.tif 000006
【図５】
2019523455.tif 000007
【国際調査報告】
2019523455.tif 000008
2019523455.tif 000009
2019523455.tif 000010
2019523455.tif 000011